(57)【特許請求の範囲】
【請求項１】
複数色の光源光をそれぞれ発生する各色の光源と、
前記各色の光源にそれぞれ対応して、前記各色の像光を変調する複数の光変調手段と、
前記複数の光変調手段でそれぞれ変調された前記各色の像光を合成する光合成手段と、
入力された映像信号に応じて前記光変調手段の動作を制御して表示を行わせる表示駆動手段と、
前記映像信号の入力の有無と、前記映像信号が前記表示駆動手段で処理可能であるか否かとを判断し、前記映像信号の入力がない場合又は前記映像信号が前記表示駆動手段で処理できない場合に、非通常表示状態であると判断する信号判断手段と、
前記信号判断手段により前記非通常表示状態であると判断された場合に、前記各色の光源のうち少なくとも１色の光源を非通常表示時点灯光源として点灯させ、残りの他色の光源を非通常表示時消灯光源として消灯させるとともに、前記複数の光変調手段のうち前記非通常表示時点灯光源に対応する光変調手段に、非通常表示である旨を文字又はマークで示すための表示画像信号を送信する制御装置と、を備え、
前記制御装置は、前記各色の光源のうち、いずれを前記非通常表示時点灯光源とし、他を前記非通常表示時消灯光源とするかをサイクルさせることを特徴とする画像表示装置。
【請求項２】
前記各色の光源は、赤色、緑色及び青色の３色光源を含み、前記非通常表示において、前記３色光源のうちいずれか１つを前記非通常表示時点灯光源とすることを特徴とする請求項１記載の画像表示装置。
【請求項３】
前記制御装置は、前記信号判断手段による判断内容に応じて前記非通常表示の表示内容を設定することを特徴とする請求項１及び請求項２のいずれか一項記載の画像表示装置。
【請求項４】
前記各色の光源の冷却を行う複数の送風手段をさらに備え、
前記制御装置は、前記非通常表示のための前記各色の光源の点灯及び／又は消灯に関連付けて前記複数の送風手段を個別に制御することを特徴とする請求項１から請求項３のいずれか一項記載の画像表示装置。
【請求項５】
前記制御装置は、前記信号判断手段によって前記非通常表示状態であるとの判断が取り消された場合に、前記非通常表示を終了し、通常動作へ戻すための復帰処理を行うことを特徴とする請求項１から請求項４のいずれか一項記載の画像表示装置。
【請求項６】
前記各色の光源は、それぞれ複数の発光素子を有し、前記非通常表示を行う場合に、前記非通常表示時点灯光源において前記複数の発光素子の一部を点灯させることを特徴とする請求項１から請求項５のいずれか一項記載の画像表示装置。
【請求項７】
前記各色の光源からの光源光をそれぞれ個別に均一化して照明光として射出し、前記各色の光源にそれぞれ対応する前記複数の光変調手段に入射させる照明光学系と、
前記光合成手段を経て合成された像光を投射する投射光学系と、をさらに備えることを特徴とする請求項１から請求項６のいずれか一項記載の画像表示装置。
【発明の詳細な説明】
【技術分野】
【０００１】
本発明は、映像信号未入力時等において、表示可能な信号の入力を受けていない状態で
あることの表示を行うプロジェクタその他の画像表示装置に関する。
【背景技術】
【０００２】
プロジェクタのような画像表示装置において、映像信号が入力されていない場合などの
非通常表示状態、つまり、正常に動作しているが入力信号のない待機状態での省電力のた
めに、定格ランプ電力以下でランプ点灯を行うことが知られている（特許文献１参照）。
【特許文献１】特開平１１−２８８７９０号公報
【発明の開示】
【発明が解決しようとする課題】
【０００３】
しかしながら上記待機状態において、定格ランプ電力以下でランプ点灯を行うと、全体
の輝度が落ち、表示が暗くなるおそれがある。また、上記待機状態においては、例えば、
ブルーバック等の単色表示とするのが一般的であり、表示に使用されない波長領域帯の光
は無駄になっている。
【０００４】
そこで、本発明は、映像信号が入力されていない場合などの非通常表示の状態において
、省電力を図りながらも、表示の明るさを保つ画像表示装置を提供することを目的とする
。
【課題を解決するための手段】
【０００５】
上記課題を解決するために、本発明に係る第１の画像表示装置は、（ａ）複数色の光源
光を発生する光源と、（ｂ）光源に対応して、複数の光源光の各色の像光を変調する少な
くとも１つの光変調手段と、（ｃ）入力された映像信号に応じて前記光変調手段の動作を
制御して表示を行わせる表示駆動手段と、（ｄ）映像信号の入力の有無と、映像信号が表
示駆動手段で処理可能であるか否かとを判断し、映像信号の入力がない場合又は映像信号
が表示駆動手段で処理できない場合に、非通常表示状態であると判断する信号判断手段と
、（ｅ）信号判断手段により非通常表示状態であると判断された場合に、光源の複数の光
源光のうち少なくとも１つの特定色のみを発生させるとともに、光変調手段に非通常表示
のための表示画像信号を送信する制御装置と、を備える。
【０００６】
上記画像表示装置では、映像信号が入力されていない場合などの非通常表示状態におい
て、制御装置により、光源の複数の光源光のうち少なくとも１つの特定色のみを発生させ
る制御を行う。これにより、非通常表示に必要な表示機能を確保しつつ、複数の光源光の
うち特定色についてのみ発生させ、不要な光源光の発生等については抑制されるので、当
該画像表示装置の省電力を図ることができる。
【０００７】
また、上記課題を解決するために、本発明に係る第２の画像表示装置は、（ａ）複数色
の光源光をそれぞれ発生する各色の光源と、（ｂ）各色の光源にそれぞれ対応して、各色
の像光を変調する複数の光変調手段と、（ｃ）複数の光変調手段でそれぞれ変調された各
色の像光を合成する光合成手段と、（ｄ）入力された映像信号に応じて光変調手段の動作
を制御して表示を行わせる表示駆動手段と、（ｅ）映像信号の入力の有無と、映像信号が
前記表示駆動手段で処理可能であるか否かとを判断し、映像信号の入力がない場合又は映
像信号が表示駆動手段で処理できない場合に、非通常表示状態であると判断する信号判断
手段と、（ｆ）信号判断手段により非通常表示状態であると判断された場合に、各色の光
源のうち少なくとも１色の光源を非通常表示時点灯光源として点灯させ、残りの他色の光
源を非通常表示時消灯光源として消灯させるとともに、複数の光変調手段のうち非通常表
示時点灯光源に対応する光変調手段に非通常表示のための表示画像信号を送信する制御装
置と、を備える。
【０００８】
上記画像表示装置では、映像信号が入力されていない場合などの非通常表示状態におい
て、制御装置により、使用されない色の光源を非通常表示時消灯光源として消灯させる制
御を行う。これにより、非通常表示において使用されない光を無駄にすることがなく、当
該画像表示装置の省電力を図ることができる。また、この際、非通常表示時点灯光源につ
いて定格の電力を保てば、非通常表示においても通常表示の明るさを保つ画像表示が可能
となる。
【０００９】
また、本発明の具体的な態様として、各色の光源が、赤色、緑色及び青色の３色光源を
含み、非通常表示において、３色光源のうちいずれか１つを非通常表示時点灯光源とする
。この場合、表示の明るさを保ちながらも、非通常表示時点灯光源を光源全体の３分の１
とすることができ、当該画像表示装置の省電力を図ることができる。
【００１０】
また、本発明の具体的な態様として、制御装置が、信号判断手段による判断内容に応じ
て非通常表示の表示内容を設定する。この場合、非通常表示状態となっている原因を当該
画像表示装置のユーザに認識させることができる。
【００１１】
また、本発明の具体的な態様として、上記いずれかの画像表示装置が、各色の光源の冷
却を行う複数の送風手段をさらに備え、制御装置が、非通常表示のための各色の光源の点
灯及び／又は消灯に関連付けて複数の送風手段を個別に制御する。この場合、例えば冷却
を必要とする光源のみに送風することが可能となり、発生する熱から各色の光源を保護し
ながらも、送風手段による電力消費を抑えることが可能である。
【００１２】
また、本発明の具体的な態様として、制御装置が、信号判断手段によって非通常表示状
態であるとの判断が取り消された場合に、非通常表示を終了し、通常動作へ戻すための復
帰処理を行う。この場合、当該復帰処理により、非通常表示から通常の表示動作へ移行さ
れる。
【００１３】
また、本発明の具体的な態様として、制御装置が、各色の光源のうち、いずれを非通常
表示時点灯光源とし、他を非通常表示時消灯光源とするかをサイクルさせる。この場合、
それぞれの光源が、非通常表示時点灯光源として用いられる回数や期間を短くでき、光源
の寿命を延ばすことができる。
【００１４】
また、本発明の具体的な態様として、各色の光源が、それぞれ複数の発光素子を有し、
非通常表示を行う場合に、非通常表示時点灯光源において複数の発光素子の一部を点灯さ
せる。この場合、当該画像表示装置のさらなる省電力を図ることができる。
【００１５】
また、本発明の具体的な態様として、上記いずれかの画像表示装置が、各色の光源から
の光源光をそれぞれ個別に均一化して照明光として射出し、各色の光源にそれぞれ対応す
る複数の光変調手段に入射させる照明光学系と、光合成手段を経て合成された像光を投射
する投射光学系と、をさらに備える。この場合、上記機能を有する当該画像表示装置の一
例としてプロジェクタを作製することができる。
【発明を実施するための最良の形態】
【００１６】
〔第１実施形態〕
図１は、本発明に係る画像表示装置の一例であるプロジェクタ１００の構造を示すブロ
ック図である。本実施形態に係るプロジェクタ１００は、光源１０と、照明光学系２０と
、光変調手段である光変調装置３０と、光合成手段の一例であるクロスダイクロイックプ
リズム４０と、投射光学系である投射レンズ５０と、制御装置６０とを備える。
【００１７】
光源１０は、青色光源１０ａと、緑色光源１０ｂと、赤色光源１０ｃとを有し、複数色
の光源光を発生する。ここで、青色光源１０ａは、発光素子であるＬＥＤ素子をそれぞれ
内蔵する複数のＬＥＤパッケージ１１ａを、その支持部材としての基板１３ａ上に適当な
２次元的配列で取り付けることにより、一纏まりとしたものである。同様に、緑色光源１
０ｂは、複数のＬＥＤパッケージ１１ｂを基板１３ｂ上に取り付けて一纏まりとしたもの
であり、また、赤色光源１０ｃは、複数のＬＥＤパッケージ１１ｃを基板１３ｃ上に取り
付けて一纏まりとしたものである。各色光源１０ａ、１０ｂ、１０ｃは、それぞれ３原色
のうち青、緑、赤の範疇に含まれる色光を発生する。さらに、各基板１３ａ、１３ｂ、１
３ｃの裏面側には、各色光源１０ａ、１０ｂ、１０ｃの冷却を行うための送風手段であり
、それぞれ各色光源１０ａ、１０ｂ、１０ｃに対応するファン１４ａ、１４ｂ、１４ｃが
近接して設置されている。尚、各色光源１０ａ、１０ｂ、１０ｃは、制御装置６０（詳し
くは後述する）から電気的信号として送信された駆動信号に応じて動作状態が制御される
。また、各ファン１４ａ、１４ｂ、１４ｃは、それぞれ駆動装置１５ａ、１５ｂ、１５ｃ
を介して、制御装置６０から電気的信号として送信された駆動信号に応じて動作状態が制
御される。
【００１８】
照明光光学系２０は、各色のＬＥＤパッケージ１１ａ、１１ｂ、１１ｃの正面にそれぞ
れ対向してビーム整形用のレンズエレメントを個別に配置した集光レンズアレイ２１ａ、
２１ｂ、２１ｃと、光均一化手段であるロッドインテグレータ２２ａ、２２ｂ、２２ｃと
からなる。
【００１９】
各色光源１０ａ、１０ｂ、１０ｃのうち、まず、青色光源１０ａについて説明する。青
色光源１０ａにおいて、各ＬＥＤパッケージ１１ａからそれぞれ取り出された各色光は、
集光レンズアレイ２１ａを経た後、ロッドインテグレータ２２ａの入射端すなわち入射ポ
ートＩＰに入射する。この際、各ＬＥＤパッケージ１１ａから発生する青色光は、集光レ
ンズアレイ２１ａを構成する各レンズエレメントによってそれぞれ適宜発散するとともに
所定位置に集まる楕円或いは矩形断面のビームにされる。つまり、青色光源ユニット１２
ａからの青色光は、ロッドインテグレータ２２ａに設けた矩形の入射ポートＩＰに全体と
して集められ、この入射ポートＩＰに重畳した状態でそれぞれ漏れなく入射し、ロッドイ
ンテグレータ２２ａを経てその射出端である射出ポートＯＰから射出される。これにより
、均一な青色光の照明光が形成され、後段の液晶ライトバルブ３０ａ上の被照射領域を青
色光によって均一に照明することができる。
【００２０】
緑色光源１０ｂ及び赤色光源１０ｃについても、青色光源１０ａと同様である。即ち、
各ＬＥＤパッケージ１１ｂ、１１ｃからそれぞれ取り出された緑色光及び赤色光は、集光
レンズアレイ２１ｂ、２１ｃ及びロッドインテグレータ２２ｂ、２２ｃをそれぞれ経てと
もに均一化された状態で射出される。
【００２１】
光変調装置３０は、３つの透過型の液晶ライトバルブ３０ａ、３０ｂ、３０ｃからなる
。各液晶ライトバルブ３０ａ、３０ｂ、３０ｃは、入射した各色の照明光の空間的強度分
布を変調する非発光型の光変調装置であり、各色光源１０ａ、１０ｂ、１０ｃから射出さ
れた各色光に対応してそれぞれ照明される３つの液晶パネル３１ａ、３１ｂ、３１ｃと、
各液晶パネル３１ａ〜３１ｃの入射側にそれぞれ配置される３つの第１偏光フィルタ３２
ａ〜３２ｃと、各液晶パネル３１ａ〜３１ｃの射出側にそれぞれ配置される３つの第２偏
光フィルタ３３ａ〜３３ｃとを備える。各液晶ライトバルブ３０ａ、３０ｂ、３０ｃに入
射した三色の色光は、各液晶パネル３１ａ〜３１ｃに制御装置６０から電気的信号として
入力された表示画像信号に応じて、画素単位でそれぞれ偏光状態が調整される。その際、
第１偏光フィルタ３２ａ〜３２ｃによって、各液晶ライトバルブ３０ａ、３０ｂ、３０ｃ
に入射する照明光の偏光方向が調整されるとともに、第２偏光フィルタ３３ａ〜３３ｃに
よって、各液晶ライトバルブ３０ａ、３０ｂ、３０ｃから射出される各色光から所定の偏
光方向の変調光が取り出される。
【００２２】
クロスダイクロイックプリズム４０は、各液晶ライトバルブ３０ａ、３０ｂ、３０ｃか
らの各色の像光を合成する。より詳しく説明すると、クロスダイクロイックプリズム４０
は、青色光反射用の誘電体多層膜４１ａと赤色光反射用の誘電体多層膜４１ｂとを直交さ
せた状態で内蔵するものであり、液晶ライトバルブ３０ａからの青色光を誘電体多層膜４
１ａで反射して進行方向左側に射出させ、液晶ライトバルブ３０ｂからの緑色光を誘電体
多層膜４１ａ、４１ｂを介して直進・射出させ、液晶ライトバルブ３０ｃからの赤色光を
誘電体多層膜４１ｂで反射して進行方向右側に射出させる。このようにして、クロスダイ
クロイックプリズム４０により赤色光、緑色光及び青色光が合成され、カラーの画像光で
ある合成光が形成される。
【００２３】
投射レンズ５０は、クロスダイクロイックプリズム４０を経て形成された合成光による
画像光を所望の拡大率で拡大してスクリーン（不図示）上にカラーの画像を投射する。
【００２４】
制御装置６０は、例えば、ビデオデッキやパーソナルコンピュータ等による外部からの
映像信号を受信又は検知し、これに基づいて、上述の各色光源１０ａ、１０ｂ、１０ｃや
ファン１４ａ、１４ｂ、１４ｃ、各液晶ライトバルブ３０ａ、３０ｂ、３０ｃ等へ送信す
べき信号の処理及び送信を行い、これらの制御を行う。
【００２５】
図２は、制御装置６０の構造について説明するためのブロック図である。本実施形態に
おける制御装置６０は、主制御部６１と、画像制御部６２と、Ａ／Ｄコンバータ６３と、
検波回路６４と、ライトバルブ駆動回路６５ａと、光源駆動回路６５ｂと、ファン駆動回
路６５ｃと、主記憶部６１のメインメモリである主記憶部６６と、画像制御部６２のメイ
ンメモリである画像メモリ６７と、プロジェクタ１００へのユーザからの操作指示信号を
受信する操作部６８とを備える。
【００２６】
画像制御部６２は、外部からの映像信号から表示画像用の表示画像信号を形成するため
の信号処理を行う。Ａ／Ｄコンバータ６３は、当該映像信号をアナログ信号からデジタル
信号に変換する。検波回路６４は、当該映像信号の入力の有無を確認する。ライトバルブ
駆動回路６５ａは、画像制御部６２により処理された表示画像信号を液晶ライトバルブ３
０ａ〜３０ｃに電気的信号として送信する。光源駆動回路６５ｂは、主制御部６１の制御
下で生成した駆動信号を図１の光源１０ａ、１０ｂ、１０ｃに送信する。ファン駆動回路
６５ｃは、主制御部６１の制御下で生成した駆動信号を、図１のファン１４ａ、１４ｂ、
１４ｃを動作させる駆動装置１５ａ、１５ｂ、１５ｃに送信する。
【００２７】
画像制御部６２は、外部から入力された映像信号に応じて、液晶ライトバルブ３０ａ〜
３０ｃの動作を制御して表示を行わせる表示駆動手段である。画像制御部６２は、単に液
晶ライトバルブ３０ａ〜３０ｃを動作させるだけでなく、当該映像信号の様式を判定する
モード判定部６２ａを備える。
【００２８】
主制御部６１は、信号判断手段として、検波回路６４の出力に基づいて当該映像信号の
入力の有無を判断し、さらに、モード判定部６２ａでの判定により当該映像信号が液晶ラ
イトバルブ３０ａ〜３０ｃで処理可能であるか否かを判断する。これらの判断により、主
制御部６１は、当該映像信号のない場合や当該映像信号が画像制御部６２で処理できない
場合には、非通常表示状態であるものと判断する。
【００２９】
主制御部６１は、上述の映像信号の入力の有無又は処理可能の判断に応じて、画像制御
部６２を介して図１の液晶ライトバルブ３０ａ〜３０ｃの動作を制御させるための信号を
送信するとともに、図１の各色の光源１０ａ、１０ｂ、１０ｃと駆動装置１５ａ、１５ｂ
、１５ｃとに、これらを動作させるための信号を送信する。以下、当該判断及び各種信号
の送信での動作について詳しく説明する。
【００３０】
映像信号が制御装置６０に入力されると、まず、当該入力の有無が検波回路６４により
確認され、主制御部６１に送信される。また、当該映像信号から及び垂直同期信号が分離
され、画像制御部６２に送信される。また、当該映像信号がアナログ信号である場合には
、Ａ／Ｄコンバータ６３によりデジタル信号に変換する処理が行われる。例えば、アナロ
グタイプのカラー映像信号については、Ａ／Ｄコンバータ６３でデジタルデータに変換さ
れて画像制御部６２に送信され、画像制御部６２によって当該映像信号の処理がなされる
。
【００３１】
この過程において、カラー映像信号のアナログ画像データは、所定諧調数のデジタル画
像データへの変換が行われるとともに、液晶ライトバルブ３０ａ〜３０ｃへ送信されるべ
き表示画像信号である駆動信号及び画像信号が形成される。形成された駆動信号及び画像
信号は、ライトバルブ駆動回路６５ａにより、図１の液晶ライトバルブ３０ａ〜３０ｃに
電気的信号として送信される。また、上記画像制御部６２での処理等に応じて、主制御部
６１は、図１の各色光源１０ａ、１０ｂ、１０ｃ及びファン１４ａ、１４ｂ、１４ｃを適
切に動作させるべく、これらに送信する信号の処理を行う。つまり、主制御部６１におい
て形成された各駆動信号が、光源駆動回路６５ｂと、ファン駆動回路６５ｃとによって、
それぞれ光源１０ａ、１０ｂ、１０ｃ及び駆動装置１５ａ、１５ｂ、１５ｃに送信される
。以上の信号出力に従い、液晶ライトバルブ３０ａ〜３０ｃ、光源１０ａ、１０ｂ、１０
ｃ及び駆動装置１５ａ、１５ｂ、１５ｃが表示画像形成のための調和した動作を行う。こ
れにより、図１のプロジェクタ１００からのスクリーン投影による画像表示が行われる。
【００３２】
ここで、制御装置６０の特徴的動作の概要について説明する。上述のように、図２の画
像制御部６２中のモード判定部６２ａは、画像制御部６２に送信された映像信号が画像制
御部６２で処理できるか否かの判断基準となる当該映像信号の様式を判定する。主制御部
６１は、検波回路６４による映像信号入力の有無と、モード判定部６２ａによる判定とに
基づいて非通常表示を行うか否かを判断する。
【００３３】
当該判断により、通常表示が可能であるとされれば、上述した通常時の画像表示が行わ
れる。一方、当該判断により、非通常表示を行う場合（非通常表示状態）にはそのための
処理が行われる。非通常状態における具体的な動作内容について説明すると、まず、主制
御部６１は、各駆動信号を光源駆動回路６５ｂを介して図１の各色光源１０ａ、１０ｂ、
１０ｃに送信する。この際、当該信号は、例えば、各色光源１０ａ、１０ｂ、１０ｃのう
ち青色光源１０ａを非通常表示時点灯光源として点灯させ、残りの緑色及び赤色光源１０
ｂ、１０ｃを非通常表示時消灯光源として消灯させるものとする。つまり、特定色として
選択した青色光のみを発生させる。また、主制御部６１は、これに応じた駆動信号を、フ
ァン駆動回路６５ｃを介して、駆動装置１５ａ、１５ｂ、１５ｃに送信する。つまり、非
通常表示時点灯光源である青色光源１０ａに対応する駆動装置１５ａを介してファン１４
ａの回転数は維持させる一方、各非通常表示時消灯光源に対応する駆動装置１５ｂ、１５
ｃを介してファン１４ｂ、１４ｃの回転数を下げさせる或いは回転を停止させるための信
号を送信する。
【００３４】
尚、この際、画像制御部６２は、主制御部６１の制御下で、非通常表示の状態であるこ
とを画像表示画面上の一部に表示させるための表示画像信号を、ライトバルブ駆動回路６
５ａを介して液晶ライトバルブ３０ａに電気的信号として送信する。具体的には、例えば
、図１の液晶ライトバルブ３０ａに送信する当該信号により、液晶パネル３１ａ上に配置
される画素の一部を適宜遮光させる。これにより、投射される画像の表示画面上での当該
画素に対応する箇所が黒表示となる。この場合、例えば、文字を表示させる部分のみ光を
透過させることで、画像表示画面上では、バックが黒表示となり、青色光による当該文字
が読み取られ、非通常表示である旨が認識される。尚、非通常表示の方法としては当該文
字について、光の透過、遮光を反対にして、文字表示の部分のみを遮光し黒抜きにするこ
とで非通常表示である旨を表示してもよい。また、非通常表示は、文字によるものに限ら
ず、マーク等であってもよい。
【００３５】
図３は、モード判定部６２ａでの判定及びこれに基づく主制御部６１での判断により非
通常表示を行う場合の手順を示すフローチャートである。
【００３６】
制御装置６０において、検波回路６４からの映像信号の入力の有無から、主制御部６１
で映像信号入力の有無が判断される（ステップＳ１）。これにより、映像信号入力が確認
されない（つまり、映像信号未入力である）と判断された場合、非通常表示を示す単色メ
ッセージが表示され、この際、非通常表示時消灯光源である２光源（ここでは、緑色及び
赤色光源）をオフさせるための処理を行うとともに、非通常表示時消灯光源である２光源
に対応するファンの回転数を下げるための処理がなされる（ステップＳ２）。
【００３７】
一方、ステップＳ１において、主制御部６１により映像信号入力が確認されたと判断さ
れた場合、当該映像信号のタイプが図２の画像制御部６２のモード判定部６２ａでの判定
により読み出される。当該判定に基づいて、主制御部６１で、本プロジェクタ１００によ
ってサポートされている画像出力可能なものであるか否かの判断がなされる（ステップＳ
３）。これにより、当該映像信号のタイプが処理できないサポート外のタイプであると判
断された場合、ステップＳ２に進み、非通常表示のための処理がなされる。
【００３８】
尚、ステップＳ３において読み出される信号のタイプとしては、例えば、当該映像信号
がＶＧＡ、ＸＧＡ等の解像度を示すものや、ＮＴＳＣ、ＰＡＬ等のビデオ信号の方式を示
すもの等種々考えられ、本プロジェクタ１００においての処理の可否を判定できるもので
あればよい。
【００３９】
さらに、ステップＳ１で映像信号未入力と判断された場合と、ステップＳ３でサポート
外のタイプであると判断された場合とで、ステップＳ２における当該単色メッセージの表
示内容を変えてもよい。図４は、表示内容に応じた非通常表示を行う場合の手順を示すフ
ローチャートである。図４に示すように、図３におけるステップＳ１で、映像信号が未入
力であると判断された場合は、画像制御部６２において、非通常表示における文字として
、画像メモリ６７に保管された表示データから映像信号未入力である旨を表示させるもの
を選択する処理を行う（ステップＳＭ１）。これに対して、ステップＳ３でサポート外で
あると判断された場合は、画像制御部６２において、非通常表示における文字として、サ
ポート外の信号が入力されている旨を表示させるものを選択する処理を行う（ステップＳ
Ｍ２）。以上により、非通常表示において、エラー内容に応じたメッセージ表示が可能と
なる。つまり、この場合、制御装置６０内における画像表示についての判断の判断内容に
応じて表示内容を制御することが可能となる。
【００４０】
図５は、制御装置６０において、主制御部６１によって非通常表示状態であるとの判断
が取り消された場合に、非通常表示を終了し、通常動作へ戻すための復帰処理を行うため
の手順を示すフローチャートである。まず、図２の主制御部６１及び画像制御部６２のモ
ード判定部６２ａにより、映像信号が入力され、かつ、当該映像信号が本プロジェクタ１
００によってサポートされている画像出力可能なものであるか否かの判断がなされる（ス
テップＳ１１）。当該判断により、映像信号の入力が確認され、かつ、当該映像信号がサ
ポートされるタイプであると判断されると、主制御部６１及び画像制御部６２において、
表示モードの判定を指示するための処理が行われる（ステップＳ１２）。つまり、モード
判定部６２ａにより判定されたサポートされている信号の種類に応じた各種信号処理の対
処の指示がなされる。次に、表示モードの確認が行われる（ステップＳ１３）。つまり、
主制御部６１は、当該信号処理の対処のための処理準備が完了しているかの確認を行う。
ステップＳ１３において、表示モードの確認がされると、主制御部６１の制御下で、図１
の液晶ライトバルブ３０ａ〜３０ｃと、各色光源１０ａ、１０ｂ、１０ｃと、ファン１４
ａ、１４ｂ、１４ｃとに必要な信号が送信され、非通常表示におけるメッセージを消去し
、全ての光源を点灯させ、ファン回転数を上げるための処理がなされる（ステップＳ１４
）。以上により、本プロジェクタ１００の動作を、通常動作へ戻すことができる。
【００４１】
以上の説明において、非通常表示を行う場合、図１の各色光源１０ａ、１０ｂ、１０ｃ
のうち青色光源１０ａを非通常表示時点灯光源として点灯させ、残りの緑色及び赤色光源
１０ｂ、１０ｃを非通常表示時消灯光源として消灯させるものとしたが、本実施形態は、
これに限られない。例えば、非通常表示時点灯光源として、青色光源１０ａではなく、他
の色光源１０ｂ、１０ｃのいずれかを用いても良い。また、２色を非通常表示時点灯光源
とし、残りの１色を非通常表示時消灯光源としてもよい。
【００４２】
また、各色光源１０ａ、１０ｂ、１０ｃのうち、いずれを非通常表示時点灯光源とし、
他を非通常表示時消灯光源とするかを図６に示すようにサイクルさせてもよい。つまり、
非通常表示のための単色メッセージ表示として、例えば、本プロジェクタ１００の電源を
入れる毎に、非通常表示に用いる非通常表示時点灯光源を、青、緑、赤の順に切り替えて
いくものとしてもよい。この場合、さらに、制御装置６０にレジスタを設け、所定回数を
カウントする毎に切り替えてもよい。または、制御装置６０にタイマを設け、所定期間経
過後に当該切り替えを行うものであってもよい。
【００４３】
図７は、非通常表示に用いる非通常表示時点灯光源のサイクルにおける処理の一例とし
て、図１の制御装置６０に非通常表示時点灯光源の使用回数をカウントするためのレジス
タを設けた場合について説明するためのフローチャートである。まず、図２に示した制御
装置６０の主制御部６１において、図３のステップＳ１或いはステップＳ３での判断処理
により、非通常表示を行う旨の判断がなされているかを確認する（ステップＳ２１）。当
該確認がなされると、さらに主制御部６１において、レジスタのカウント値のチェックが
行われる（ステップＳ２２）。ここで、カウント値が所定回数に達していることを示して
いる場合、主制御部６１において、カウント値をクリアするとともに、非通常表示時点灯
光源の切り替えを行う旨の処理がなされる。一方、カウント値が所定値に達していない場
合には、カウント値を１追加し、非通常表示時点灯光源の切り替えを行わない旨の処理が
なされる。以上により、非通常表示時点灯光源に用いる色光源が決定される（ステップＳ
２３）。ステップＳ２３により、非通常表示時点灯光源及び非通常表示時消灯光源が決定
されると、主制御部６１の制御下で、光源駆動回路６５ｂを介して各色光源１０ａ、１０
ｂ、１０ｃに駆動信号が送信される（ステップＳ２４）。以上の動作が、繰り返されるこ
とにより、ステップＳ２３において、非通常表示時点灯光源としての使用回数が所定回数
に達する毎に非通常表示時点灯光源として用いられる色光源１０ａ、１０ｂ、１０ｃが、
例えば図６のように順次サイクルする。
【００４４】
また、当該切り替えのサイクルは、各色に対して均等である必要はなく、各色ごとの光
源の寿命に応じて変えてもよい。つまり、例えば赤色光源１０ｃの寿命が他の２色に比し
て短い場合には、赤色光源１０ｃを非通常表示の非通常表示時点灯光源として用いる回数
を青色光源１０ａ及び緑色光源１０ｂより少なくしてもよい。或いは、寿命の短い赤色光
源１０ｃは常に非通常表示時消灯光源とし、青色光源１０ａ及び緑色光源１０ｂの２色の
みを非通常表示時点灯光源としてサイクルさせることとしてもよい。
【００４５】
さらに、非通常表示時点灯光源として用いる色光源（例えば、青色光源１０ａ）が有す
る複数のＬＥＤパッケージのうちの一部を点灯させ、残りを消灯させてもよい。つまり、
図１の青色光源１０ａが有する複数のＬＥＤパッケージ１１ａのうち、一部だけを点灯さ
せ、残りのＬＥＤパッケージ１１ａを、他の色光源１０ｂ、１０ｃとともに消灯させても
よい。これにより、さらに、省電力化を図ることが可能である。尚、この場合、消灯させ
るＬＥＤパッケージ１１ａの数に応じて、青色光源１０ａに対応するファン１４ａの回転
数を下げることも可能である。
【００４６】
本願発明は、上記の実施形態に限られるものではなく、その要旨を逸脱しない範囲にお
いて種々の態様において実施することが可能であり、例えば次のような変形も可能である
。
【００４７】
上記実施形態では、透過型のプロジェクタに本発明を適用した場合の例について説明し
たが、本発明は、反射型プロジェクタにも適用することが可能である。ここで、「透過型
」とは、液晶パネル等を含む光変調部が光を透過するタイプであることを意味しており、
「反射型」とは、光変調部が光を反射するタイプであることを意味している。
【００４８】
また、上記実施形態では、照明光学系２０として、集光レンズアレイ２１ａ、２１ｂ、
２１ｃと、光均一化手段であるロッドインテグレータ２２ａ、２２ｂ、２２ｃとを用いて
いるが、照明光学系２０において、光均一化のために用いる光学系としては、この他にも
光源等に応じて種々のものを用いることができ、例えば、一対のフライアイレンズを用い
るものであってもよい。
【００４９】
また、上記実施形態の光源１０には、ＬＥＤ素子を発光素子として用いているが、光源
１０は、各色ごとに独立したものであればよく、例えば、ＬＥＤ素子の代わりに、ＥＬ素
子等他の発光素子を用いることもできる。また、例えば、各色ごとに独立した光源を持つ
ものとして三管式のプロジェクタも考えられ、これについても本願発明と同様の構成が可
能である。さらには、プロジェクタに限らず、各色ごとに独立した光源を有する種々の画
像表示装置についても本願発明と同様の構成の適用が可能である。
【図面の簡単な説明】
【００５０】
【図１】第１実施形態に係るプロジェクタを説明するための平面図である。
【図２】第１実施形態に係るプロジェクタの制御装置の構造について説明するためのブロック図である。
【図３】非通常表示を行う場合の手順を示すフローチャートである。
【図４】表示内容に応じた非通常表示を行う場合の手順を示すフローチャートである。
【図５】非通常表示から通常動作へ戻す場合の手順を示すフローチャートである。
【図６】各色光源をサイクルで用いることを説明するための図である。
【図７】非通常表示時点灯光源のサイクルについて説明するためのフローチャートである。
【符号の説明】
【００５１】
１００…プロジェクタ、  １０…光源、  ２０…照明光学系、  ３０…光変調装置、  
４０…クロスダイクロイックプリズム、  ５０…投射レンズ、  ６０…制御装置、  １０
ａ…青色光源、  １０ｂ…緑色光源、  １０ｃ…赤色光源、  ３０ａ、３０ｂ、３０ｃ…
液晶ライトバルブ、  １４ａ、１４ｂ、１４ｃ…ファン、  ６１…主制御部、  ６２…画
像制御部、  ６２ａ…モード判定部、  ６５ａ…ライトバルブ駆動回路、  ６５ｂ…光源
駆動回路、  ６５ｃ…ファン駆動回路
【図１】
0005320661.tif 000002
【図２】
0005320661.tif 000003
【図３】
0005320661.tif 000004
【図４】
0005320661.tif 000005
【図５】
0005320661.tif 000006
【図６】
0005320661.tif 000007
【図７】
0005320661.tif 000008